(57)【特許請求の範囲】
【請求項１】
複数の照明灯が所定位置に配置された居住空間内に、各生活行為別領域毎に前記照明灯の使用情報を設定し、記憶する照明使用情報記憶手段と、
同居する生活行為者別に各生活行為別領域に居るタイムチャートがタイムチャート入力手段により入力された前記生活行為別領域に居る在生活行為別領域時間情報を記憶する在領域時間情報記憶手段と、
前記照明灯毎の消費電力情報を記憶する消費電力情報記憶手段と、
前記照明使用情報記憶手段に記憶された前記生活行為領域毎の前記照明灯の使用情報と、前記在領域時間情報記憶手段に記憶された在生活行為別領域時間情報と、前記消費電力情報記憶手段に記憶された照明灯毎の消費電力情報とから所定期間における前記生活行為別領域に基づいた前記照明灯毎の合計消費電力量情報を算出する合計消費電力量情報算出手段と、
前記合計消費電力量情報算出手段により算出された所定期間における前記生活行為別領域に基づいた前記照明灯毎の合計消費電力量情報を出力する合計消費電力量情報出力手段と、
を有することを特徴とする照明エネルギー算定システム。
【請求項２】
複数の照明灯が所定位置に配置された居住空間内に、標準行為に対応して設定された生活行為別領域情報を記憶した標準行為領域対応記憶手段と、
各生活行為別領域毎に前記照明灯の使用情報を設定し、記憶する照明使用情報記憶手段と、
同居する生活行為者別に標準行為を行うタイムチャートがタイムチャート入力手段により入力された情報と、標準行為領域対応記憶手段に記憶された標準行為に対応して設定された生活行為別領域情報とから前記生活行為別領域に居る在生活行為別領域時間情報を記憶する在領域時間情報記憶手段と、
前記照明灯毎の消費電力情報を記憶する消費電力情報記憶手段と、
前記照明使用情報記憶手段に記憶された前記生活行為領域毎の前記照明灯の使用情報と、前記在領域時間情報記憶手段に記憶された在生活行為別領域時間情報と、前記消費電力情報記憶手段に記憶された照明灯毎の消費電力情報とから所定期間における前記生活行為別領域に基づいた前記照明灯毎の合計消費電力量情報を算出する合計消費電力量情報算出手段と、
前記合計消費電力量情報算出手段により算出された所定期間における前記生活行為別領域に基づいた前記照明灯毎の合計消費電力量情報を出力する合計消費電力量情報出力手段と、
を有することを特徴とする請求項１に記載の照明エネルギー算定システム。
【請求項３】
請求項１に記載の居住空間に対応して、複数の照明灯が所定位置に配置された居住空間内に、各室別領域毎に前記照明灯の使用情報を設定し、記憶する照明使用情報記憶手段と、
同居する生活行為者別に各室別領域に居るタイムチャートがタイムチャート入力手段により入力された前記在室別領域に居る在室別領域時間情報を記憶する在領域時間情報記憶手段と、
前記照明灯毎の消費電力情報を記憶する消費電力情報記憶手段と、
前記照明使用情報記憶手段に記憶された前記室別領域毎の前記照明灯の使用情報と、前記在領域時間情報記憶手段に記憶された在室別領域時間情報と、前記消費電力情報記憶手段に記憶された照明灯毎の消費電力情報とから所定期間における前記室別領域に基づいた前記照明灯毎の合計消費電力量情報を算出する合計消費電力量情報算出手段と、
前記合計消費電力量情報算出手段により算出した前記所定期間における前記室別領域に基づいた前記照明灯毎の合計消費電力量情報と、請求項１に記載の前記合計消費電力量情報算出手段により算出された前記所定期間における前記生活行為別領域に基づいた前記照明灯毎の合計消費電力量情報との両結果を合わせて出力する比較消費電力量情報出力手段と、
を有することを特徴とする請求項１または請求項２に記載の照明エネルギー算定システム。
【請求項４】
予め多種の生活行為者の標準行為情報をタイムチャートに関連付けて行動パターン化した標準行為パターン情報を記憶する標準行為パターン情報記憶手段と、
同居する複数の各生活行為者毎に前記標準行為パターン情報記憶手段に記憶された標準行為パターン情報から特定の標準行為パターン情報を選択する標準行為パターン選択手段と、
複数の標準行為に対応して設定された複数の生活行為別領域情報または室別領域情報を記憶する標準行為領域対応記憶手段と、
前記標準行為領域対応記憶手段に記憶された生活行為別領域情報または室別空間固定領域情報と、前記標準行為パターン情報記憶手段に記憶された各生活行為者毎の標準行為に対するタイムチャートとを関連付ける関連付け手段と、
同居者全員の在生活行為別領域時間または在室別領域時間を算出する在領域時間算出手段と、
を有することを特徴とする請求項１〜３に記載の照明エネルギー算定システム。
【請求項５】
請求項１〜４の何れか１項に記載した、所定位置に配置する照明灯を選択する手段として、
生活行為別領域または室別領域において予め複数のモード別に照明灯の組合せが設定されて、記憶する照明使用情報記憶手段と、
前記照明使用情報記憶手段に記憶されたモード別の照明灯の組合せから、所定の位置に配置された当初の組合せとは別の組合せを選択し変更する照明使用情報選択手段と、
を有することを特徴とする請求項１〜４の何れか１項に記載の照明エネルギー算定システム。
【請求項６】
在領域時間情報記憶手段に記憶された、同居する各生活行為者毎に標準行為に対するタイムチャートを表示する在領域時間情報表示手段と、
前記在領域時間情報記憶手段に記憶された生活行為別領域または室別領域において行われる標準行為に対応するタイムチャートの時刻を変更する行為時刻変更手段と、
を有することを特徴とする請求項１〜４の何れか１項に記載の照明エネルギー算定システム。
【請求項７】
電気料金情報記憶手段に記憶された電気料金情報と、前記在領域時間情報記憶手段に記憶された生活行為別領域または室別領域の年間点灯時間情報に基づいて、前記合計消費電力量情報算出手段により算出された生活行為別領域の消費電力量情報または室別領域の消費電力量情報とから電気料金を算出する電気料金情報算出手段と、
前記照明灯の器具価格情報、ランプ毎の価格情報、それらの寿命情報を記憶する照明灯価格情報記憶手段と、
前記電気料金情報算出手段に記憶された電気料金情報と、前記照明灯価格情報記憶手段に記憶された前記照明灯の器具価格情報、ランプ毎の価格情報、それらの寿命情報とから、所定期間における前記照明灯の合計経費情報を算出する合計経費情報算出手段と、
前記合計経費情報算出手段により算出された所定期間における前記照明灯の合計経費情報を出力する合計経費情報出力手段と、
を有することを特徴とする請求項１〜５の何れか１項に記載の照明エネルギー算定システム。
【発明の詳細な説明】
【技術分野】
【０００１】
本発明は、照明の消費電力等を算出する照明エネルギー算定システムに関するものである。
【背景技術】
【０００２】
従来、省エネルギーということに関して、照明の消費エネルギーは、冷暖房や給湯に比べて余り注目されてこなかった。しかし、吹抜け空間等の増加により演出性にこだわってコーディネートされた空間も増え、それに伴い住宅の照明エネルギーも小さくはないことが分かってきた。
【０００３】
照明の省エネルギー方法としては、蛍光灯への変更や不在時のこまめな消灯が提案されてきた。しかし、蛍光灯は一般的に白熱灯よりも演出性が劣る場合が多く、また、こまめな消灯に対しても限界があった。
【０００４】
そこで、演出性にも配慮した照明を使用しながら、省エネルギー性にも配慮をする住宅設計が求められてきている。
【０００５】
住宅内の照明の消費エネルギーを算定するシミュレーションプログラムは、各地域区分毎に断熱性能等による冷暖房の違いを非定常熱負荷シミュレーションソフトであるSMASH（Simplified Analysis System for Housing Air Conditioning Energy；住宅用熱負荷計算プログラム）やSMASHを利用したLeaf（Life cycle Energy Analysis using Figure-input；ライフサイクルエネルギー計算システム）等がよく知られている。
【０００６】
しかし、例えばSMASHは、熱負荷計算プログラムであり、照明の点灯を熱負荷として計算をするが、生活行為に応じてどのように照明を利用すれば、省エネルギーと演出性が両立出来るかという点は全く考慮されていない。
【０００７】
一方、Leaf（非特許文献１）は、LCA（Life Cycle Assessment；ライフサイクルアセスメント）算定プログラムであり、照明の消費エネルギーの計算を行うが、それは、一室を一単位として生活行為のスケジュールを登録し、在室であれば点灯という仕組みでの計算であり、居住者の生活行為に対応して一室内の複数の照明のオン/オフを考慮しているものではない。また、両者ともLCC（Life Cycle Cost；ライフサイクルコスト）算定機能はない。
【０００８】
例えば、特開２００５−３３２１６５号公報（特許文献１）には、お客様個別に対応した省エネ機器等の導入効果を精度良く算定出来る光熱費予測装置、光熱費予測方法及び光熱費予測プログラムを提供するために、光熱費予測装置、光熱費予測方法及び光熱費予測プログラムは、過去のエネルギー種別光熱費情報及びライフスタイル情報を入力する入力部（12）と、基準エネルギー情報及び機器効率情報のデータベースを有する記憶部（13）と、過去のエネルギー種別光熱費情報、ライフスタイル情報及びデータベースに格納されたデータに基づいて光熱費予測処理を行う光熱費計算部（11）と、計算結果を出力する出力部（14）を備えて構成したことが記載されている。
【０００９】
【特許文献１】特開２００５−３３２１６５号公報
【非特許文献１】空気調和・衛生工学会  平成13年度学術講演会講演論文集  ２００１年９月２６日〜２８日（京都)，松田  克己  石村  修一共著  ライフサイクルエネルギー計算プログラム−Leaf−(第二報)，P1085〜P1088
【発明の開示】
【発明が解決しようとする課題】
【００１０】
しかしながら、特許文献1の技術では、ライフスタイル情報を入力する入力部（12）は、入力データである在宅、非在宅の情報だけで点灯/消灯を判定して光熱費予測計算をするものであり、大雑把すぎるため、照明灯の使用状態に基く電力消費予測は現実と乖離するものとなる。
【００１１】
一方、従来は、演出性が高くかつ省エネルギーに寄与出来る照明灯の計画をするための効果測定方法がなかったが、最近ではリビング・ダイニング・キッチン等大きな空間のシーン別点灯が推奨されている。いわゆる照明の演出性を織り込んだ照明設計計画が行われつつある。このような照明計画の質の向上に応じて、どのような照明をどのように配置するか、また、その照明計画の省エネルギー性がどの程度かを評価することが求められている。
【００１２】
その点で従来のSMASHやLeaf（非特許文献１）、或いは特許文献１のシステムでは、省エネルギーと演出性が両立出来るか否かを評価する視点を全く持っていないといった問題があった。
【００１３】
本発明は前記課題を解決するものであり、その目的とするところは、照明灯の数を増やしても、全体として消費電力削減を可能にすると共に、例えば、リビング、ダイニング、キッチンがひとつの大きい部屋であると想定して、一室多灯の配灯計画により生活行為領域ごとに最適な照明方法を用いることを提案し、また、そのエネルギーコストを提示することで、施主に対して照明エネルギーに対する注目を高め、更にニーズに合った照明を選択することを可能とした照明エネルギー算定システムを提供せんとするものである。
【００１４】
本発明の第２の目的は、前記同様例えば、リビング、ダイニング、キッチンがひとつの大きい部屋であるとして、従来の固定化された室概念を想定し、その大きい部屋内にリビング、ダイニング、キッチンという複数の室別領域を設定し、その室別領域ごとに最適な照明方法を用いることとした場合のエネルギーコストを算出し、生活行為領域ごとに算出した場合のエネルギーコストと比べることで、施主に対してより照明エネルギーに対する注目を高め、更にニーズに合った照明を選択することを可能とした照明エネルギー算定システムを提供せんとするものである。
【課題を解決するための手段】
【００１５】
前記目的を達成するための本発明に係る照明エネルギー算定システムの第１の構成は、複数の照明灯が所定位置に配置された居住空間内に、各生活行為別領域毎に前記照明灯の使用情報を設定し、記憶する照明使用情報記憶手段と、同居する生活行為者別に各生活行為別領域に居るタイムチャートがタイムチャート入力手段により入力された前記生活行為別領域に居る在生活行為別領域時間情報を記憶する在領域時間情報記憶手段と、前記照明灯毎の消費電力情報を記憶する消費電力情報記憶手段と、前記照明使用情報記憶手段に記憶された前記生活行為領域毎の前記照明灯の使用情報と、前記在領域時間情報記憶手段に記憶された在生活行為別領域時間情報と、前記消費電力情報記憶手段に記憶された照明灯毎の消費電力情報とから、所定期間における前記生活行為別領域に基づいた前記照明灯毎の合計消費電力量情報を算出する合計消費電力量情報算出手段と、前記合計消費電力量情報算出手段により算出された所定期間における前記生活行為別領域に基づいた前記照明灯毎の合計消費電力量情報を出力する合計消費電力量情報出力手段とを有することを特徴とする。
【００１６】
また、本発明に係る照明エネルギー算定システムの第２の構成は、前記第１の構成において、複数の照明灯が所定位置に配置された居住空間内に、標準行為に対応して設定された生活行為別領域情報を記憶した標準行為領域対応記憶手段と、各生活行為別領域毎に前記照明灯の使用情報を設定し、記憶する照明使用情報記憶手段と、同居する生活行為者別に標準行為を行うタイムチャートがタイムチャート入力手段により入力された情報と、標準行為領域対応記憶手段に記憶された標準行為に対応して設定された生活行為別領域情報とから前記生活行為別領域に居る在生活行為別領域時間情報を記憶する在領域時間情報記憶手段と、前記照明灯毎の消費電力情報を記憶する消費電力情報記憶手段と、前記照明使用情報記憶手段に記憶された前記生活行為領域毎の前記照明灯の使用情報と、前記在領域時間情報記憶手段に記憶された在生活行為別領域時間情報と、前記消費電力情報記憶手段に記憶された照明灯毎の消費電力情報とから、所定期間における前記生活行為別領域に基づいた前記照明灯毎の合計消費電力量情報を算出する合計消費電力量情報算出手段と、前記合計消費電力量情報算出手段により算出された所定期間における前記生活行為別領域に基づいた前記照明灯毎の合計消費電力量情報を出力する合計消費電力量情報出力手段とを有することを特徴とする。
【００１７】
また、本発明に係る照明エネルギー算定システムの第３の構成は、前記第１、第２の構成において、第１の構成に記載の居住空間に対応して、複数の照明灯が所定位置に配置された居住空間内に、各室別領域毎に前記照明灯の使用情報を設定し、記憶する照明使用情報記憶手段と、同居する生活行為者別に各室別領域に居るタイムチャートがタイムチャート入力手段により入力された前記在室別領域に居る在室別領域時間情報を記憶する在領域時間情報記憶手段と、前記照明灯毎の消費電力情報を記憶する消費電力情報記憶手段と、前記照明使用情報記憶手段に記憶された前記室別領域毎の前記照明灯の使用情報と、前記在領域時間情報記憶手段に記憶された在室別領域時間情報と、前記消費電力情報記憶手段に記憶された照明灯毎の消費電力情報とから、所定期間における前記室別領域に基づいた前記照明灯毎の合計消費電力量情報を算出する合計消費電力量情報算出手段と、前記合計消費電力量情報算出手段により算出した前記所定期間における前記室別領域に基づいた前記照明灯毎の合計消費電力量情報と、第１の構成に記載の前記合計消費電力量情報算出手段により算出された前記所定期間における前記生活行為別領域に基づいた前記照明灯毎の合計消費電力量情報との両結果を合わせて出力する比較消費電力量情報出力手段とを有することを特徴とする。
【００１８】
また、本発明に係る照明エネルギー算定システムの第４の構成は、前記第１〜第３の構成において、予め多種の生活行為者の標準行為情報をタイムチャートに関連付けて行動パターン化した標準行為パターン情報を記憶する標準行為パターン情報記憶手段と、同居する複数の各生活行為者毎に前記標準行為パターン情報記憶手段に記憶された標準行為パターン情報から特定の標準行為パターン情報を選択する標準行為パターン選択手段と、複数の標準行為に対応して設定された複数の生活行為別領域情報または室別空間固定領域情報を記憶する標準行為領域対応記憶手段と、前記標準行為領域対応記憶手段に記憶された生活行為別領域情報または室別空間固定領域情報と、前記標準行為パターン情報記憶手段に記憶された各生活行為者毎の標準行為に対するタイムチャートとを関連付ける関連付け手段と、同居者全員の在生活行為別領域時間または在室別領域時間を算出する在領域時間算出手段とを有することを特徴とする。
【００１９】
また、本発明に係る照明エネルギー算定システムの第５の構成は、前記第１〜第４の構成において、第１〜第４の構成に記載した、所定位置に配置する照明灯を選択する手段として、生活行為別領域または室別領域において予め複数のモード別に照明灯の組合せが設定されて、記憶する照明使用情報記憶手段と、前記照明使用情報記憶手段に記憶されたモード別の照明灯の組合せから、所定の位置に配置された当初の組合せとは別の組合せを選択し変更する照明使用情報選択手段とを有することを特徴とする。
【００２０】
また、本発明に係る照明エネルギー算定システムの第６の構成は、前記第１〜第４の構成において、在領域時間情報記憶手段に記憶された、同居する各生活行為者毎に標準行為に対するタイムチャートを表示する在領域時間情報表示手段と、前記在領域時間情報記憶手段に記憶された生活行為別領域または室別領域において行われる各生活行為毎の標準行為に対応するタイムチャートの時刻を変更する行為時刻変更手段とを有することを特徴とする。
【００２１】
また、本発明に係る照明エネルギー算定システムの第７の構成は、前記第１〜第５の構成において、電気料金情報記憶手段に記憶された電気料金情報と、前記在領域時間情報記憶手段に記憶された生活行為別領域または室別領域の年間点灯時間情報に基づいて、前記合計消費電力量情報算出手段により算出された生活行為別領域の消費電力量情報または室別領域の消費電力量情報とから電気料金を算出する電気料金情報算出手段と、前記照明灯の器具価格情報、ランプ毎の価格情報、それらの寿命情報を記憶する照明灯価格情報記憶手段と、前記電気料金情報算出手段に記憶された電気料金情報と、前記照明灯価格情報記憶手段に記憶された前記照明灯の器具価格情報、ランプ毎の価格情報、それらの寿命情報とから、所定期間における前記照明灯の合計経費情報を算出する合計経費情報算出手段と、前記合計経費情報算出手段により算出された所定期間における前記照明灯の合計経費情報を出力する合計経費情報出力手段とを有することを特徴とする。
【発明の効果】
【００２２】
本発明によれば、生活行為に対して満足できる照明をしながら、すなわち、照明灯の質や数を確保しながら、全体としてみると消費電力の節約ができる。
【００２３】
本発明に係る照明エネルギー算定システムの第１の構成によれば、生活行為による照明灯の合計消費電力量情報を消費電力量情報出力手段により出力できる。
【００２４】
本発明に係る照明エネルギー算定システムの第２の構成によれば、合計消費電力量情報算出手段により、照明使用情報記憶手段に記憶された標準行為毎の照明灯の使用情報と、在領域時間情報記憶手段に記憶された標準行為毎の在生活行為別領域時間情報と、消費電力量情報記憶手段に記憶された照明灯毎の消費電力量情報とから、所定期間における標準行為による照明灯の合計消費電力量情報を算出することが出来、該合計消費電力量情報算出手段により算出された所定期間における前記標準行為による前記照明灯の合計消費電力量情報を消費電力量情報出力手段により出力することが出来る。
【００２５】
また、本発明に係る照明エネルギー算定システムの第３の構成によれば、前記第１、２の構成の居住空間に対応して、合計消費電力量情報算出手段により、照明使用情報記憶手段に記憶された標準行為毎の照明灯の使用情報と、在領域時間情報記憶手段に記憶された標準行為毎の在室別領域時間情報と、消費電力量情報記憶手段に記憶された照明灯毎の消費電力量情報とから、所定期間における標準行為による照明灯の合計消費電力量情報を算出することが出来、該合計消費電力量情報算出手段により算出した所定期間における標準行為による照明灯の合計消費電力量情報と、前記第１の構成の合計消費電力量情報算出手段により算出した所定期間における標準行為による照明灯の合計消費電力量情報との両結果を合わせて比較消費電力量情報出力手段により出力することが出来るので、室別領域で計画された照明と生活行為別で計画された照明を比較により理解することが出来る。
【００２６】
広い空間の所定位置に配置された照明灯使用の可否を、本発明の第１の構成では生活行為に必要と思われる照明灯を生活行為ごとに使用するとしたことに対して、本発明の第３の構成でいう室別領域とは、同じ所定位置に配置された照明灯使用の可否を、生活行為に無関係に従来の室イメージで使用するとしたものである。
【００２７】
また、本発明に係る照明エネルギー算定システムの第４の構成によれば、標準行為パターン選択手段により、同居する複数の各生活行為者毎に標準行為パターン情報記憶手段に記憶された標準行為パターン情報から特定の標準行為パターン情報を選択することが出来、関連付け手段により、生活行為情報記憶手段に記憶された生活行為情報と、標準行為領域対応記憶手段に記憶された生活行為別領域情報または室別領域情報と、標準行為パターン情報記憶手段に記憶された各生活行為者毎の標準行為に対するタイムチャートとを関連付けることが出来、在領域時間算出手段により、同居者全員の在生活行為別領域時間または在室別領域時間を算出することが出来、生活行為をパターン化したことにより入力操作及び演算処理の簡略化が図れる。
【００２８】
また、本発明に係る照明エネルギー算定システムの第５の構成によれば、照明使用情報選択手段により選択された照明モードに対応して、照明使用情報記憶手段に記憶された各生活行為別領域または室別領域において行われる生活行為毎に照明灯の使用情報を選択し変更することが出来る。
【００２９】
また、本発明に係る照明エネルギー算定システムの第６の構成によれば、在領域時間情報記憶手段に記憶された生活行為別領域または室別領域において行われる各生活行為毎の標準行為に対応するタイムチャートの時刻を行為時刻変更手段により変更することが出来る。
【００３０】
また、本発明に係る照明エネルギー算定システムの第７の構成によれば、電気料金情報記憶手段に記憶された電気料金情報と、照明灯価格情報記憶手段に記憶された照明灯の器具価格情報、ランプ毎の価格情報、それらの寿命情報とから、合計経費情報算出手段により、所定期間における生活行為による照明灯の合計経費情報を算出することが出来、該合計経費情報算出手段により算出された所定期間における生活行為による照明灯の合計経費情報を合計経費情報出力手段により出力することが出来る。また、長い年月を経た将来を踏まえたライフサイクルコストを得ることができる。
【発明を実施するための最良の形態】
【００３１】
図により本発明に係る照明エネルギー算定システムの一実施形態を具体的に説明する。図１は本発明に係る照明エネルギー算定システムの制御系の構成を示すブロック図、図２は本発明に係る照明エネルギー算定システムの動作を説明するフローチャート、図３は複数の標準行為に対応して設定された複数の室別領域を説明する図、図４は図３（ａ）〜（ｃ）をまとめて表現した図、図５及び図６は特定の生活行為に応じて省エネルギー型と演出型でそれぞれ設定された照明灯が点灯される生活行為別領域の一例を示す図、図７は使用する照明灯の照明灯情報、品番情報、配置位置情報が表示された一例を示す図、図８（ａ）は目的に応じて室別各居住領域の照明灯が建物の設計情報から取得される様子を示す図、図８（ｂ）は生活行為に応じて生活行為別各居住領域の照明灯が建物の設計情報から取得される様子を示す図、図８（ｃ）は各照明灯の照明灯情報、品番情報、消費電力情報、単価情報、寿命情報、器具価格情報の一覧を示す図、図９は生活行為者の標準行為情報をタイムチャートに関連付けて行動パターン化を示す図、図10（ａ）は標準行為に対応する生活行為別領域あるいは室別領域情報の一覧を示す図、図10（ｂ）は生活行為別領域または室別領域別に生活行為者タイムチャート（生活行為者別のタイムチャート取得表示、家族全員合計をも表示）の出力であるとともに、タイムチャート変更用入力画面を示す図、図11は生活行為別領域あるいは室別領域について照明モード別の年間点灯時間を算出した一例を示す図、図12は生活行為別領域で照明モード別の年間点灯時間、年間消費電力量、年間電気料金を示す図、図13は室別領域で照明モード別の年間点灯時間、年間消費電力量、年間電気料金を示す図、図14は省エネルギー型計画の年間点灯時間、年間消費電力量、年間電気料金、ランプコストを示す図、図15は合計経費の一例を出力し比較した図、図16は１０年間のライフサイクルコストの一例を出力した図である。
【００３２】
図３に示すように、複数の照明灯１が所定位置に配置された居住空間内に、複数の標準行為に対応する室別領域の一例として、キッチン領域２ａ，ダイニング領域２ｂ，リビング領域２ｃが設定されている。なお、設定された室別領域ごとに配灯された照明灯の点灯、消灯をするためには、室別領域ごとに対応するスイッチを１個設ければ良い。ここで、標準行為とは、一般家庭で営まれる標準的な生活行為を標準パターン化して予め登録したものである。
【００３３】
また、本実施形態の室別領域は一部オーバーラップして領域設定がなされた一例であり、キッチン領域２ａとダイニング領域２ｂとが一部オーバーラップしており、リビング領域２ｃはダイニング領域２ｂの全体を含む領域として設定されている。
【００３４】
ここで、ひとつの想定された室領域がリビングとしたとき、配灯計画はそのリビング領域２ｃ内で行うすべての標準行為に対して、満足するような配灯を行う計画となり、特定のある行為に対しては必要以上の配光となってしまう場合が多い。また、図３に示すようにリビング領域２ｃとダイニング領域２ｂとがオーバーラップしているにも関わらず、室概念を用いて配灯計画を行うことにより、実際に生活するにあたっての必要以上の照明器具を配置することになりがちになる。
【００３５】
一方、図４は図３（ａ）〜（ｃ）をまとめて表現した図である。
【００３６】
図１において、本発明に係る照明エネルギー算定システム３は、公知のコンピュータシステムにより構築された入力部４、第１、第２制御部５ａ，５ｂ、演算部６、第１〜第３データベース７ａ，７ｂ，７ｃ、出力部８等を有して構成されている。
【００３７】
図１において、建物の設計情報に基づいて、第２制御部５ｂにより照明灯１の使用情報、照明灯１の配置位置情報が抽出され、第１データベース７ａの各生活行為別領域毎、或いは各室別領域毎に照明灯１の使用情報を設定し、記憶する照明使用情報記憶手段となる照明使用情報記憶部10、照明配置情報記憶部23にそれぞれ記憶して格納される。
【００３８】
９は複数の標準行為に対応して設定された生活行為別領域情報を記憶する生活行為別領域記憶手段となる生活行為別領域記憶部であり、該生活行為別領域記憶部９には図５及び図６に示すように生活行為別にリビングくつろぎ領域37ａ情報、リビング一般領域37ｂ情報、テーブル着席／食事領域37ｃ情報、テーブル着席／作業領域37ｄ情報、配膳・下げ膳・炊事領域37ｅ情報等が記憶されている。
【００３９】
なお、設定された生活行為別領域ごとに配灯された照明灯１の点灯、消灯をするためには、生活行為別領域ごとに対応するスイッチを１個設ければ良い。
【００４０】
例えば、リビングくつろぎ領域37ａにおいて、図５（ａ）に示すように配置された照明灯１のうち、図５（ａ）中の「●」で示された所定の照明灯１が使用され、他は使用されないといった各照明灯１の使用情報が照明使用情報記憶部10に記憶されている。
【００４１】
また、照明使用情報記憶部10には生活行為別領域または室別領域において、予め複数のモード別に照明灯１の組合せが設定されて、記憶されている。
【００４２】
図１において、在領域時間情報記憶部11は同居する生活行為者別に標準行為を行うタイムチャートがタイムチャート入力手段となる入力部４により入力された情報と、生活行為別領域記憶部９に記憶された標準行為に対応して設定された生活行為別領域情報とから生活行為別領域に居る在生活行為別領域時間情報を記憶する。また、在領域時間情報記憶部11は同居する生活行為者別に各室別領域に居るタイムチャートがタイムチャート入力手段となる入力部４により入力された在室別領域に居る在室別領域時間情報を記憶する。
【００４３】
12は照明灯１毎の消費電力情報を記憶する消費電力情報記憶手段となる消費電力情報記憶部である。
【００４４】
13は合計消費電力量情報算出手段となる消費電力量情報算出部であり、照明使用情報記憶部10に記憶された生活行為領域毎、或いは室別領域毎の照明灯１の使用情報と、在領域時間情報記憶部11に記憶された在生活行為別領域時間情報、或いは在室別領域時間情報と、消費電力情報記憶部12に記憶された照明灯１毎の消費電力情報とから、所定期間における生活行為別領域、或いは室別領域に基づいた照明灯１の合計消費電力量情報を合計消費電力量情報算出部13により算出する。消費電力量は各照明灯１の消費電力情報（ワット数）に点灯時間を掛けて求めることが出来る。
【００４５】
14は合計消費電力量情報出力手段となる合計消費電力量情報出力部であり、合計消費電力量情報算出部13により算出された所定期間における生活行為別領域に基づいた照明灯１毎の合計消費電力量情報を合計消費電力量情報出力部14により出力する。
【００４６】
本実施形態では、図３に示す居住空間に対応して、複数の照明灯１が所定位置に配置された同じ居住空間内に複数の室別領域情報を記憶する室別領域記憶手段となる室別領域記憶部15が設けられている。ここで、室別領域とは、図３に示したように、キッチン領域２ａ、ダイニング領域２ｂ、リビング領域２ｃが互いにオーバーラップすることも考慮した領域を示す。
【００４７】
16は比較消費電力量情報出力手段となる比較消費電力量情報出力部であり、図３に示す室別領域において、合計消費電力量情報算出部13により算出された所定期間における室別領域に基づいた照明灯１毎の合計消費電力量情報と、図５及び図６に示して前述した生活行為別領域において、合計消費電力量情報算出部13により算出された所定期間における生活行為別領域に基づいた照明灯１毎の合計消費電力量情報との両結果を合わせて比較消費電力量情報出力部16により出力する。
【００４８】
17は標準行為パターン情報記憶手段となる標準行為パターン情報記憶部であり、図９に示すように、予め多種の生活行為者の標準行為情報をタイムチャートに関連付けて行動パターン化した標準行為パターン情報を記憶するものである。
【００４９】
18は標準行為パターン選択手段となる標準行為パターン選択部であり、図９（ｂ）に示すように、同居する複数の各生活行為者毎に標準行為パターン情報記憶部17に記憶された標準行為パターン情報から特定の標準行為パターン情報を選択するものである。
【００５０】
図９（ａ）に示す標準行為パターン情報記憶部17となる標準行為パターンデータベースは予め照明技術者が作成し、ユーザは図９（ａ）に示される標準行為パターンを見ながら図９（ｂ）に示す標準行為パターン選択部18により該当する標準行為パターンを決定して入力する。
【００５１】
19は標準行為領域対応記憶手段となる標準行為領域対応記憶部であり、図10（ａ）に示すように、複数（多数）の標準行為に対応して設定された複数の生活行為別領域情報または室別空間固定領域情報を記憶するものである。
【００５２】
21は関連付け手段となる関連付け部であり、該関連付け部21により、標準行為領域対応記憶部19に記憶された生活行為別領域情報または室別領域情報と、標準行為パターン情報記憶部17に記憶された各生活行為者毎の標準行為に対するタイムチャートとを関連付けるものである。
【００５３】
22は同居者全員の在生活行為別領域時間または在室別領域時間を算出する在領域時間算出手段となる在領域時間算出部であり、図10（ｂ）に示すように、同居者全員の各在領域時間を算出する。
【００５４】
23は照明配置情報記憶手段となる照明配置情報記憶部であり、図３〜図７及び図８に示すように、照明灯１の照明灯情報、居住空間における照明灯１の配置位置情報をそれぞれ記憶する。
【００５５】
24は照明配置情報表示手段となる照明配置情報表示部であり、図３〜図７の表示画面に示されたように、照明配置情報記憶部23に記憶された照明灯１の照明灯情報、居住空間における照明灯１の配置位置情報をそれぞれ表示する。
【００５６】
25は照明使用情報選択手段となる照明使用情報選択部であり、該照明使用情報選択部25により、照明使用情報記憶部10に記憶されたモード別の照明灯１の組合せから、所定の位置に配置された当初の組合せとは別の組合せを選択し変更する。
【００５７】
このように、照明使用情報記憶部10及び照明使用情報選択部25は、所定位置に配置する照明灯１を選択する手段として構成される。
【００５８】
合計消費電力量情報算出手段となる合計消費電力量情報算出部13は、図12及び図13に示すように、所定期間における生活行為による照明灯１の特定期間の合計消費電力量情報を算出する。尚、全電化住宅等で時間帯別単価を使用する場合には時間帯毎に点灯時間を分けて算出する。
【００５９】
また、合計消費電力量情報出力部14は、図12〜図14に示すように、合計消費電力量情報算出部13により算出された所定期間における生活行為による照明灯１の合計消費電力量情報を該照明灯１の照明灯情報、品番情報毎に分類して出力する。
【００６０】
28は在領域時間情報表示手段となる在領域時間情報表示部であり、該在領域時間情報表示部28により、図９（ａ）に示すように、在領域時間情報記憶手段となる在領域時間情報記憶部11に記憶された同居する各生活行為者毎に標準行為に対するタイムチャートを表示する。
【００６１】
29は行為時刻変更手段となる行為時刻変更部であり、該行為時刻変更部29により、在領域時間情報記憶部11に記憶された生活行為別領域または室別領域において行われる標準行為に対応するタイムチャートの時刻を変更するものである。
【００６２】
30は電気料金情報を記憶した電気料金情報記憶手段となる電気料金情報記憶部30である。31は電気料金情報算出手段となる電気料金情報算出部であり、該電気料金情報算出部31により、電気料金情報記憶部30に記憶された電気料金情報と、在領域時間情報記憶部11に記憶された生活行為別領域または室別領域における照明灯１毎の年間点灯時間情報に基づいて合計消費電力量情報算出部13により算出された生活行為別領域の消費電力量情報または室別領域の消費電力量情報とから電気料金を算出する。
【００６３】
図12及び図13は電気料金情報算出部31により算出された年間電気料金を示した一例である。
【００６４】
32は電気料金情報記憶手段となる電気料金情報記憶部であり、該電気料金情報記憶部32により、電気料金情報算出部31により算出された電気料金情報を記憶する。
【００６５】
33は照明灯価格情報記憶手段となる照明灯価格情報記憶部であり、図８（ｃ）に示すように、照明灯１の器具価格情報、ランプ毎の価格情報、それらの寿命情報を記憶する。
【００６６】
34は合計経費情報算出手段となる合計経費情報算出部であり、該合計経費情報算出部34により、電気料金情報記憶32に記憶された電気料金情報と、照明灯価格情報記憶部33に記憶された照明灯１の器具価格情報、ランプ毎の価格情報、それらの寿命情報とから、図14に示すように、所定期間における生活行為による照明灯１の合計経費情報を算出する。
【００６７】
所定期間のＬＣＣ（Life Cycle Cost；ライフサイクルコスト）を求める場合には、図９（ｂ）に示す標準行為パターン選択部18により標準行為パターンを１年毎に選択し直し、合計消費電力量情報算出部13により算出された生活行為別領域の合計消費電力量情報または室別領域の合計消費電力量情報に図14に示す年間ランプコストを加えて１年ずつ積み上げる。その際、初期コストとしては、照明灯価格情報記憶部33に記憶された照明灯仕様に基づいて照明灯1の単価を合計して算出する。
【００６８】
35は合計経費情報出力手段となる合計経費情報出力部であり、該合計経費情報出力部35により、合計経費情報算出部34により算出された所定期間における生活行為による照明灯１の合計経費情報を出力する。
【００６９】
図15及び図16は合計経費情報出力部35により出力表示された一例であり、生活行為別点灯（省エネルギーモード）ａ，生活行為別点灯（演出モード）ｂ，室別点灯（省エネルギーモード）ｃ，室別点灯（演出モード）ｄ毎に月間金額、１０年間のＬＣＣ（Life Cycle Cost；ライフサイクルコスト）を出力表示したものである。
【００７０】
次に図２を用いて本発明に係る照明エネルギー算定システムの動作の一例を説明する。先ず、図２のステップＳ１において、建物の設計情報から、第２制御部５ｂにより図３〜図７及び図８に示された照明灯１の照明灯情報、該照明灯１の配置位置情報を取得して第１データベース７ａの生活行為別領域記憶部９、室別領域記憶部15、照明使用情報記憶部10、照明配置情報記憶部23に記憶して格納する。
【００７１】
図８（ａ）に示された室別領域照明灯名マスタでは、建物設計図面による初期設定に基づいて予め照明技術者が灯名を決定する。また、設計図面にない灯名については品番を追加入力することも出来る。図８（ｂ）に示された生活行為別領域照明灯名マスタでは、予め照明技術者が灯名を決定する。また、図８（ｃ）に示す照明灯仕様マスタでは、照明灯１のカタログ、建物設計図面から照明技術者が邸別に作成し、品番を補充する。
【００７２】
次にステップＳ２において、図９（ａ）に示すように、予め多種の生活行為者の標準行為情報をタイムチャートに関連付けて行動パターン化した標準行為パターン情報が標準行為パターン情報記憶部17に記憶されており、ユーザは、図９（ｂ）に示す標準行為パターン選択部18により同居者別の標準行為パターンを選択決定する。
【００７３】
次にステップＳ３において、ユーザは図３に示す室別領域か、図５及び図６に示す生活行為別領域かを選択し、ステップＳ４において、使用する照明灯１の種類と灯の数を決定する。即ち、前記ステップＳ２で選択した標準行為パターンに基づいて、図８（ａ），（ｂ）に示すように、予め設定された標準行為毎に図３に示すようにキッチン領域２ａ、ダイニング領域２ｂ、リビング領域２ｃを室別領域に設定した場合と、図５及び図６に示すようにリビングくつろぎ領域37ａ、リビング一般領域37ｂ、テーブル着席／食事領域37ｃ、テーブル着席／作業領域37ｄ、配膳・下げ膳・炊事領域37ｅを生活行為別領域に設定した場合での省エネルギー型設計及び演出型設計に対応した照明灯１の使用を設定する。
【００７４】
照明灯１の使用を変更する場合には、入力部４を介して照明使用情報変更入力を行うことにより、第１制御部５ａの照明使用情報選択部25により照明使用情報記憶部10に記憶された照明使用情報を変更する。
【００７５】
図５（ａ）は図８（ｂ）の標準行為欄36ａの「映画鑑賞、読書、音楽鑑賞」で生活行為別領域欄36ｂの「リビングくつろぎ」に対応して省エネルギー型として設定された照明灯１の一例を示し、図５（ｂ）は図８（ｂ）の標準行為欄36ａの「テレビ視聴」で生活行為別領域欄36ｂの「リビング一般」に対応して演出型として設定された照明灯１の一例を示す。
【００７６】
一方で、ステップＳ５において、生活行為別領域または室別領域別に照明灯１の使用時間を決定する。図10（ｂ）は在領域時間情報記憶部11に記憶された標準行為別の在領域時間の一例を示す。
【００７７】
次にステップＳ６において、使用する照明灯１の合計消費電力量及び電気料金を算出・表示する。先ず、図５に示す生活行為別領域における合計消費電力量を算出する場合、図８（ｂ）に示すように、生活行為別領域記憶部９に記憶された生活行為別領域情報と、照明使用情報記憶部10に記憶された照明灯１の使用情報と、在領域時間情報記憶部11に記憶された在生活行為別領域時間情報と、消費電力情報記憶部12に記憶された照明灯１毎の消費電力情報とから、合計消費電力量情報算出部13により、所定期間における標準行為による照明灯１の合計消費電力量情報を算出し、合計消費電力量情報出力部14により出力表示する。
【００７８】
また、図３に示す各室別領域における合計消費電力量を算出する場合、図８（ａ）に示すように、室別領域記憶部15に記憶された室別領域情報と、照明使用情報記憶部10に記憶された照明灯１の使用情報と、在領域時間情報記憶部11に記憶された在室別領域時間情報と、消費電力情報記憶部12に記憶された照明灯１毎の消費電力情報とから、合計消費電力量情報算出部13により、所定期間における標準行為による照明灯１の合計消費電力量情報を算出し、合計消費電力量情報出力部14により出力表示する。
【００７９】
図12は生活行為別領域で省エネルギーモード及び演出モードの各照明モード別の年間点灯時間、年間消費電力量、年間電気料金を出力表示した一例であり、図13は室別領域で省エネルギーモード及び演出モードの各照明モード別の年間点灯時間、年間消費電力量、年間電気料金を出力表示した一例である。
【００８０】
また、図14は省エネルギー型計画のランプコストを出力表示した一例であり、図15は合計経費を出力表示した一例であり、図16は１０年間のライフサイクルコストを出力表示した一例である。
【産業上の利用可能性】
【００８１】
本発明の活用例として、照明の消費電力等を算出する照明エネルギー算定システムに適用出来、住宅で使用される照明エネルギーを削減するのみならず、照明の演出性と省エネルギー性、省コスト性を両立させることが出来る照明エネルギー算定システムを提供することが出来る。
【００８２】
一般的には省エネルギーはランプを省エネタイプに変更することによる手法が主流であるが、演出を重視した消費電力の大きいランプでも省エネルギーを達成する可能性があることを提示できる。
【図面の簡単な説明】
【００８３】
【図１】図１は本発明に係る照明エネルギー算定システムの制御系の構成を示すブロック図である。
【図２】本発明に係る照明エネルギー算定システムの動作を説明するフローチャートである。
【図３】複数の標準行為に対応して設定された複数の室別領域を説明する図である。
【図４】図３（ａ）〜（ｃ）をまとめて表現した図である。
【図５】特定の生活行為に応じて省エネルギー型と演出型でそれぞれ設定された照明灯が点灯される生活行為別領域の一例を示す図である。
【図６】特定の生活行為に応じて省エネルギー型と演出型でそれぞれ設定された照明灯が点灯される生活行為別領域の一例を示す図である。
【図７】使用する照明灯の照明灯情報、品番情報、配置位置情報が表示された一例を示す図である。
【図８】（ａ）は目的に応じて室別各居住領域の照明灯が建物の設計情報から取得される様子を示す図、（ｂ）は生活行為に応じて生活行為別各居住領域の照明灯が建物の設計情報から取得される様子を示す図、（ｃ）は各照明灯の照明灯情報、品番情報、消費電力情報、単価情報、寿命情報、器具価格情報の一覧を示す図である。
【図９】生活行為者の標準行為情報をタイムチャートに関連付けて行動パターン化を示す図である。
【図１０】（ａ）は標準行為に対応する生活行為別領域あるいは室別領域情報の一覧を示す図、（ｂ）は生活行為別領域または室別領域別に生活行為者タイムチャート（生活行為者別のタイムチャート取得表示、家族全員合計をも表示）の出力であるとともに、タイムチャート変更用入力画面を示す図である。
【図１１】生活行為別領域あるいは室別領域について照明モード別の年間点灯時間を算出した一例を示す図である。
【図１２】生活行為別領域で照明モード別の年間点灯時間、年間消費電力量、年間電気料金を示す図である。
【図１３】室別領域で照明モード別の年間点灯時間、年間消費電力量、年間電気料金を示す図である。
【図１４】省エネルギー型計画の年間点灯時間、年間消費電力量、年間電気料金、ランプコストを示す図である。
【図１５】合計経費の一例を出力し比較した図である。
【図１６】１０年間のライフサイクルコストの一例を出力した図である。
【符号の説明】
【００８４】
１…照明灯
２ａ…キッチン領域
２ｂ…ダイニング領域
２ｃ…リビング領域
３…照明エネルギー算定システム
４…入力部
５ａ，５ｂ…第１、第２制御部
６…演算部
７ａ〜７ｃ…第１〜第３データベース
８…出力部
９…生活行為別領域記憶部
10…照明使用情報記憶部
11…在領域時間情報記憶部
12…消費電力情報記憶部
13…合計消費電力量情報算出部
14…合計消費電力量情報出力部
15…室別領域記憶部
16…比較消費電力量情報出力部
17…標準行為パターン情報記憶部
18…標準行為パターン選択部
19…標準行為領域対応記憶部
21…関連付け部
22…在領域時間算出部
23…照明配置情報記憶部
24…照明配置情報表示部
25…照明使用情報選択部
27…照明モード選択部
28…在領域時間情報表示部
29…行為時刻変更部
30…電気料金情報記憶部
31…電気料金算出部
32…電気料金情報記憶部
33…照明灯価格情報記憶部
34…合計経費情報算出部
35…合計経費情報出力部
36ａ…標準行為欄
36ｂ…生活行為別領域欄
37ａ…リビングくつろぎ領域
37ｂ…リビング一般領域
37ｃ…テーブル着席／食事領域
37ｄ…テーブル着席／作業領域
37ｅ…配膳・下げ膳・炊事領域
【図１】
0005058854.tif 000002
【図２】
0005058854.tif 000003
【図３】
0005058854.tif 000004
【図４】
0005058854.tif 000005
【図５】
0005058854.tif 000006
【図６】
0005058854.tif 000007
【図８】
0005058854.tif 000008
【図９】
0005058854.tif 000009
【図１０】
0005058854.tif 000010
【図１１】
0005058854.tif 000011
【図１２】
0005058854.tif 000012
【図１３】
0005058854.tif 000013
【図１４】
0005058854.tif 000014
【図１５】
0005058854.tif 000015
【図１６】
0005058854.tif 000016
【図７】
0005058854.tif 000017